(57)【要約】      （修正有）【課題】実行すべきタスクを容易に登録することができるスケジュール管理装置を提供する。【解決手段】スケジュール管理装置は、タスクの登録を指示する操作を受け付けた場合、標準タスクを含むタスクリスト２２を取得する。標準タスクは、日常生活において習慣的に行われるタスクの候補であって、タスクの名称と、タスクを実行する標準時刻とを含む。スケジュール管理装置は、タスクリスト２２に設定された標準タスクに含まれる名称と標準時刻とを表示し、表示された標準タスクの名称の中から、実行する標準タスクの選択を受け付ける。スケジュール管理装置は、選択された標準タスクに含まれる名称と標準時刻とを対応付けて登録する。【選択図】図６
2015170110.tif 000002
【特許請求の範囲】
【請求項１】
日常生活において習慣的に行われるタスクの候補であって、前記タスクの名称と、前記タスクを実行する標準時刻とを含む標準タスクを取得する取得部と、
前記取得部により取得された標準タスクに含まれる名称と標準時刻とを表示し、表示された名称の中から、実行する標準タスクの選択を受け付ける受付部と、
前記受付部により受け付けられた標準タスクに含まれる名称と標準時刻とを対応付けて登録する登録部とを備える、スケジュール管理装置。
【請求項２】
請求項１に記載のスケジュール管理装置であって、
前記標準タスクは、前記標準タスクを実行する場合に実行される複数のサブタスクを含み、
前記複数のサブタスクの各々は、前記サブタスクの名称を含み、前記サブタスクを実行する時刻を含まない、スケジュール管理装置。
【請求項３】
請求項１又は２に記載のスケジュール管理装置であって、
前記取得部は、任意に実行されるタスクの候補であって、前記任意に実行されるタスクの名称を含み、時刻を含まない任意タスクを取得し、
前記受付部は、前記取得部により取得された任意タスクに含まれる名称を表示し、前記取得された任意タスクを実行すべき時刻の入力を受け付ける、スケジュール管理装置。
【請求項４】
請求項１〜３のいずれか１項に記載のスケジュール管理装置であって、
前記受付部は、前記選択された標準タスクに含まれる標準時刻の修正を受け付ける、スケジュール管理装置。
【請求項５】
請求項１〜４のいずれか１項に記載のスケジュール管理装置であって、さらに、
現在時刻が前記登録部により登録されたタスクの時刻となった場合、前記タスクの名称を表示して前記タスクの開始を通知する通知部と、
前記通知部により通知されたタスクに関する応答を受け付ける応答部とを備え、
前記受付部は、前記応答部による応答の受付が終了するまで、前記タスクの開始の通知を継続するか否かを指示する継続情報の設定を受け付ける、スケジュール管理装置。
【請求項６】
スケジュール管理装置に搭載されるコンピュータに、
日常生活において習慣的に行われるタスクの候補であって、前記タスクの名称と、前記タスクを実行する標準時刻とを含む標準タスクを取得するステップと、
前記取得された標準タスクに含まれる名称と標準時刻とを表示し、表示された名称の中から、実行する標準タスクの選択を受け付けるステップと、
前記受け付けられた標準タスクに含まれる名称と標準時刻とを対応付けて登録するステップとを実行させるためのスケジュール管理プログラム。
【発明の詳細な説明】
【技術分野】
【０００１】
本発明は、スケジュール管理装置に関し、さらに詳しくは、実行すべきタスクをユーザが登録するスケジュール管理装置に関する。
【背景技術】
【０００２】
携帯電話、スマートフォン、タブレットなどの端末の普及に伴い、ユーザは、スケジュール管理用のアプリケーションプログラム（以下、「スケジュール管理プログラム」と呼ぶ。）を上記の端末にインストールして、スケジュールを管理している。
【０００３】
ユーザは、端末にインストールされたスケジュール管理プログラムを起動し、ユーザ自身が実行すべきタスクを登録する。登録されたタスクは、そのタスクの開始時刻と、そのタスクの名称とを含む。スケジュール管理プログラムは、現在時刻が登録されたタスクの開始時刻になった場合、登録されたタスクの内容を端末のディスプレイに表示して、登録されたタスクの実行をユーザに促す。
【０００４】
特許文献１には、タスクの選択画面を携帯電話、ＰＣ（パーソナルコンピュータ）に表示するスケジュール自動調整システムが開示されている。特許文献１に係るシステムにおいて、選択画面は、複数のタスクタイトルが設定されたプルダウンメニューと、タスクの開始時刻を設定するための日付及び時刻を入力するためのプルダウンメニューとを有する。ユーザは、各々のプルダウンメニューを操作して、実行すべきタスクのタイトル及び開始時刻を設定する。
【０００５】
このような従来のスケジュール管理装置は、健常者の使用を前提としている。一方、認知障害を有する障害者の生活を支援するためのスケジュール管理装置は、未だ提供されていない。ここで、認知障害を有する障害者（以下、単に「障害者」と呼ぶ。）とは、高次脳機能障害や、認知症等の症状を有する人のことであり、その症状は、人によって様々である。
【０００６】
障害者の中には、時間の経過や、時間の観念を把握することができない人がいる。スケジュール管理装置を用いて、朝食、昼食及び夕食などのタスクの実行を障害者に促すことができれば、障害者の生活を支援する介助者の負担が軽減される。しかしながら、時間の経過や、時間の観念を把握することができない障害者は、従来のスケジュール管理装置を用いて、日常のスケジュールを設定することは困難である。
【先行技術文献】
【特許文献】
【０００７】
【特許文献１】特開２０１３−１９６５３５号公報
【発明の概要】
【発明が解決しようとする課題】
【０００８】
本発明の目的は、実行すべきタスクを容易に登録することができるスケジュール管理装置を提供することである。
【課題を解決するための手段及び発明の効果】
【０００９】
本発明のスケジュール管理装置は、取得部と、受付部と、登録部とを備える。取得部は、日常生活で習慣的に実行されるタスクの候補であって、タスクの名称とタスクを実行する時刻として予め設定された標準時刻とを含む標準タスクを取得する。受付部は、取得部により取得された標準タスクに含まれる名称と標準時刻とを表示し、表示された名称の中から、実行すべき標準タスクの選択を受け付ける。登録部は、受付部により受け付けられた標準タスクを登録する。
【００１０】
本発明によれば、タスクの名称と標準時刻とが表示されるため、ユーザは、実行すべき標準タスクを選択する際に時刻を入力しなくてもよい。これにより、タスクを登録する際の作業を簡略化することができるため、容易にタスクを登録できる。特に、時間の経過や、時間の観念を把握することができない障害者が自身でタスクを登録する場合に有用である。
【００１１】
好ましくは、標準タスクは、標準タスクを実行する場合に実行される複数のサブタスクを含む。サブタスクの各々は、サブタスクの名称を含み、サブタスクを実行する時刻を含まない。
【００１２】
これにより、標準タスクを実行する際の細かな作業の手順をユーザが容易に把握することができる。また、スケジュール管理装置は、サブタスクの時刻を通知しない。このため、ユーザが各サブタスクを実行するときに、スケジュール管理装置を操作する煩わしさがない。
【００１３】
好ましくは、取得部は、任意タスクを取得する。任意タスクは、任意に実行されるタスクの候補であって、任意に実行されるタスクの名称を含み、時刻を含まない。受付部は、取得部により取得された任意タスクに含まれる名称を表示し、取得された任意タスクを実行すべき時刻の入力を受け付ける。
【００１４】
これにより、日常生活で習慣的に実行される標準タスクの他に、様々なタスクを登録することができる。
【００１５】
好ましくは、受付部は、選択された標準タスクに含まれる標準時刻の修正を受け付ける。
【００１６】
これにより、標準タスクを実行すべき時刻を所望の時刻に変更できるため、ユーザの日常生活のパターンに応じたスケジュールを作成することができる。
【００１７】
好ましくは、スケジュール管理装置は、さらに、通知部と、応答部とを備える。通知部は、現在時刻が登録部により登録されたタスクの時刻となった場合、タスクの名称を表示してタスクの開始を通知する。応答部は、通知部により通知されたタスクに関する応答を受け付ける。受付部は、応答部による応答の受付が完了するまで、通知を継続するか否かを指示する継続情報の設定を受け付ける。
【００１８】
継続情報を用いて通知の継続を指示するか否かを設定できるため、スケジュール管理装置は、他のタスクに優先して、重要なタスクの通知を継続することができる。これにより、重要なタスクの実行を忘れることを防ぐことができる。
【００１９】
本発明のプログラムは、本発明のスケジュール管理装置に用いられる。
【図面の簡単な説明】
【００２０】
【図１】本発明の第１の実施の形態に係るスケジュール管理装置の構成を示す機能ブロック図である。
【図２】図１に示すスケジュール管理プログラムのフローチャートである。
【図３】図１に示すタッチパネルに表示されるスケジュール画面を示す図である。
【図４】図２に示すタスク登録処理のフローチャートである。
【図５】図１に示すタッチパネルに表示されるタスク登録画面の一例を示す図である。
【図６】図１に示すタスクリストの一例を示す図である。
【図７】図１に示すタッチパネルに表示される選択ウィンドウの一例を示す図である。
【図８】図１に示すタッチパネルに表示される選択ウィンドウの他の例を示す図である。
【図９】図１に示すタッチパネルに表示される設定ウィンドウを示す図である。
【図１０】図１に示すタッチパネルに表示される確認ウィンドウを示す図である。
【図１１】図１に示すスケジュールデータを示す図である。
【図１２】図２に示す開始通知処理のフローチャートである。
【図１３】図１に示すタッチパネルに表示される開始通知ウィンドウを示す図である。
【図１４】図１に示すタッチパネルに表示される応答入力ウィンドウを示す図である。
【図１５】図１に示すタッチパネルに表示される確認画面を示す図である。
【図１６】本発明の第２の実施の形態に係るスケジュール管理装置のタッチパネルに表示される設定ウィンドウを示す図である。
【図１７】本発明の第２の実施の形態に係るスケジュール管理装置により用いられるスケジュールデータを示す図である。
【図１８】本発明の第２の実施の形態に係るスケジュール管理装置により実行される開始通知処理のフローチャートである。
【発明を実施するための形態】
【００２１】
以下、図面を参照し、本発明の実施の形態を詳しく説明する。図中同一又は相当部分には同一符号を付してその説明は繰り返さない。
【００２２】
＜第１の実施の形態＞
［１．スケジュール管理装置の構成］
図１は、本実施の形態に係るスケジュール管理装置１の構成を示す機能ブロック図である。図１を参照して、スケジュール管理装置１は、携帯電話、スマートフォン、タブレットなどのコンピュータである。スケジュール管理プログラム２１が、コンピュータにインストールされることにより、このコンピュータは、スケジュール管理装置１として機能する。本実施の形態では、スケジュール管理プログラム２１がタブレットにインストールされた場合を例に説明する。
【００２３】
スケジュール管理装置１は、ユーザによるタスクの登録を受け付け、登録されたタスクの開始時刻になった場合にタスクの実行をユーザに促す。スケジュール管理装置１のユーザには、高次脳機能障害や認知症などの認知障害を有する障害者が想定されている。これらの障害者が、時間の経過や時間の概念を把握することが困難な場合がある。このような障害者であっても、スケジュール管理装置１を用いることにより、自身が実行すべきタスクを容易に登録することができる。その理由については、後述する。
【００２４】
スケジュール管理装置１は、ＣＰＵ（Central Processing Unit）１１と、ＲＡＭ（Random Access Memory）１２と、タッチパネル１３と、ネットワークインタフェース１４と、フラッシュメモリ１５とを備える。
【００２５】
ＣＰＵ１１は、ＲＡＭ１２にロードされたプログラムを実行して、スケジュール管理装置１を制御する。ＲＡＭ１２は、スケジュール管理装置１のメインメモリである。ＲＡＭ１２には、フラッシュメモリ１５に記憶されている各種プログラムがロードされる。
【００２６】
タッチパネル１３は、ＣＰＵ１１によるプログラムの実行結果を表示する。タッチパネル１３は、ユーザの指が触れた位置を操作情報として出力する。
【００２７】
ネットワークインタフェース１４は、無線ＬＡＮ（Local Area Network）又は携帯電話通信網を介してネットワークにアクセスし、ＴＣＰ（Transmission Control Protocol）／ＩＰ（Internet Protocol）を用いて通信する。
【００２８】
フラッシュメモリ１５は、不揮発性の記憶装置であり、スケジュール管理プログラム２１と、タスクリスト２２と、スケジュールデータ２３とを記憶する。スケジュール管理プログラム２１は、ユーザが実行すべきタスクの登録を受け付けるとともに、登録されたタスクの実行をユーザに促すためのプログラムである。
【００２９】
タスクリスト２２は、ユーザが選択可能な複数のタスクの候補が設定されたデータであり、タスクの登録時に用いられる。タスクリスト２２には、２種類のタスクの候補が設定される。２種類のタスクの候補とは、標準タスク及び任意タスクである。標準タスク及び任意タスクの詳細については、後述する。
【００３０】
スケジュールデータ２３は、ユーザにより登録されたタスクを記録する。スケジュールデータ２３の詳細については、後述する。
【００３１】
［２．スケジュール管理装置の動作］
図２は、スケジュール管理プログラム２１のフローチャートである。図３は、タッチパネル１３に表示されるスケジュール画面３０を示す図である。以下、図２及び図３を参照して、スケジュール管理プログラム２１を実行するスケジュール管理装置１の動作を説明する。
【００３２】
スケジュール管理プログラム２１が起動することにより、スケジュール管理装置１は、スケジュール画面３０をタッチパネル１３に表示する（ステップＳ１）。スケジュール画面３０は、ユーザが今日（２０１４年２月１８日）に実行すべきタスクをリスト形式で表示する。
【００３３】
スケジュール画面３０は、時刻領域３１と、タスク領域３２と、メニューボタン３３と、切替ボタン３４ａ，３４ｂとを含む。時刻領域３１には、今日の日付と現在時刻とが表示される。また、時刻領域３１には、アナログ形式の時計が描かれている。メニューボタン３３は、スケジュール管理装置１の操作メニューを表示するために用いられる。
【００３４】
切替ボタン３４ａ，３４ｂは、スケジュール画面３０及び確認画面の表示の切替を指示するために用いられる。図３では、スケジュール画面３０がタッチパネル１３に表示されているため、切替ボタン３４ａがハッチングで表示される。
【００３５】
切替ボタン３４ｂがタップされた場合、確認画面がタッチパネル１３に表示される。確認画面が表示された場合、切替ボタン３４ｂがハッチングで表示される。確認画面は、開始時刻が既に経過したタスクの実行結果を入力するために用いられる。確認画面の詳細については、後述する。
【００３６】
タスク領域３２は、スケジュールデータ２３に登録されたタスクのうち、時刻領域３１に表示された日付で実行すべきタスクを表示する。図３では、タスク３２１及び３２２が、タスク領域３２に表示されている。タスクがスケジュールデータ２３に登録されていない場合、タスク領域３２は、空欄となる。
【００３７】
タスク３２１は、タスクの名称「掃除」と、時刻「午後４時００分」と含む。確認ボタン３２１ａは、タスク３２１に対応して設けられ、タスク３２１に含まれるサブタスクを確認するために用いられる。サブタスクの詳細は、後述する。タスク３２２は、タスクの名称「病院」と、時刻「午後５時００分」とを含む。確認ボタン３２２ａは、タスク３２２に対応して設けられ、タスク３２２に含まれるサブタスクを確認するために用いられる。
【００３８】
スケジュール管理装置１は、終了指示を受け付けた場合（ステップＳ２においてＹｅｓ）、スケジュール管理プログラム２１を終了する。
【００３９】
ユーザは、タスクを新たに登録する場合、メニューボタン３３をタップして、操作メニュー（図示省略）をタッチパネル１３に表示させる。操作メニューの中から「タスク登録」を選択した場合、スケジュール管理装置１は、タスク登録が指示されたと判断し（ステップＳ３においてＹｅｓ）、タスク登録画面をタッチパネル１３に表示する。スケジュール管理装置１は、タスク登録画面に対するユーザの操作を受けて、タスク登録処理を実行する（ステップＳ４）。
【００４０】
タスク登録処理（ステップＳ４）において、スケジュール管理装置１は、ユーザが実行すべきタスクの登録を受け付け、受け付けたタスクをスケジュールデータ２３に登録する。タスク登録処理（ステップＳ４）の詳細は、後述する。
【００４１】
次に、スケジュール管理装置１は、スケジュールデータ２３に登録されたタスクの開始をユーザに促す開始通知処理（ステップＳ５）を実行する。スケジュール管理装置１は、一定の時間ごと（例えば、１分ごと）に、現在時刻に一致する時刻を有するタスクがスケジュールデータ２３に登録されているか否かを判断する。現在時刻に一致する時刻を有するタスクがある場合、スケジュール管理装置１は、このタスクの名称をタッチパネル１３に表示するとともに、このタスクを開始する時刻となったことを音声により通知する。開始通知処理（ステップＳ５）の詳細は、後述する。
【００４２】
なお、図２では、説明の便宜上、開始通知処理（ステップＳ５）が、タスク登録処理（ステップＳ４）の後に実行されるように示されているが、開始通知処理の実行中に、ユーザの操作に応じてタスク登録処理を実行して新たなタスクを登録してもよい。
【００４３】
［２．１．タスク登録処理（ステップＳ４）］
上述のように、タスク登録が指示された場合（ステップＳ３においてＹｅｓ）、スケジュール管理装置１は、タスク登録処理（ステップＳ４）を実行する。図４は、タスク登録処理（ステップＳ４）のフローチャートである。図５は、タスク登録画面４０を示す図である。
【００４４】
（タスク登録画面の表示）
図４及び図５を参照して、スケジュール管理装置１は、タスク登録画面４０をタッチパネル１３に表示する（ステップＳ４１）。タスク登録画面４０は、ユーザが実行すべき新たなタスクを登録するために用いられる。
【００４５】
タスク登録画面４０は、時刻領域３１と、メニューボタン３３と、日付領域４１と、登録タスク領域４２と、追加ボタン４３ａと、編集ボタン４３ｂと、削除ボタン４３ｃとを備える。
【００４６】
日付領域４１は、新たにタスクを登録する対象となる日付を示す。登録タスク領域４２は、日付領域４１に表示された日に実行すべきタスクとして登録されたタスクの一覧を示す。日付領域４１に表示される日付は、デフォルトでは、図３に示す時刻領域３１内の日付である。このため、図５において、登録タスク領域４２には、２０１４年２月１８日に実行すべきタスクとして、タスク３２１及び３２２が表示されている。登録タスク領域４２が空欄の場合、日付領域４１に表示された「２月１８日」に実行すべきタスクが登録されていないことを示す。なお、日付領域４１の左右に配置された「前日」ボタン又は「翌日」ボタンをタップすることにより、日付領域４１に表示される日付を変更することが可能である。
【００４７】
追加ボタン４３ａは、ユーザが実行すべきタスクをスケジュールデータ２３に新たに登録（追加）するために用いられる。編集ボタン４３ｂは、スケジュールデータ２３に登録済みのタスクの内容を変更するために用いられる。削除ボタン４３ｃは、スケジュールデータ２３に登録されたタスクを削除するために用いられる。
【００４８】
ユーザは、追加ボタン４３ａをタップすることにより、タスクの追加を指示する（ステップＳ４２においてＹｅｓ）。スケジュール管理装置１は、この操作を受けて、タスクリスト２２をフラッシュメモリ１５から取得する（ステップＳ４３）。スケジュール管理装置１は、取得したタスクリスト２２に基づいて、選択ウィンドウをタッチパネル１３に表示し、実行すべきタスクの登録を受け付ける（ステップＳ４４）。スケジュール管理装置１は、ユーザの操作に応じて設定されたタスクをスケジュールデータ２３に登録する（ステップＳ４５）。
【００４９】
（標準タスクと任意タスク）
以下、タスクリスト２２に設定される標準タスク及び任意タスクについて説明する。
【００５０】
図６は、タスクリスト２２を示す図である。図７は、標準タスクを表示する選択ウィンドウ４５を示す図である。図８は、任意タスクを表示する選択ウィンドウ４５を示す図である。
【００５１】
図６を参照して、タスクリスト２２は、選択ウィンドウ４５に表示される候補タスク２２ａ〜２２ｋを含む。候補タスク２２ａ〜２２ｆは、標準タスクであり、候補タスク２２ｇ〜２２ｋは、任意タスクである。標準タスクと任意タスクとの違いは、標準タスクには標準時刻が設定されているのに対して、任意タスクには標準時刻が設定されていない点である。選択ウィンドウ４５の詳細については、後述する。
【００５２】
標準タスク（候補タスク２２ａ〜２２ｆ）は、日常生活で習慣的に実行されるタスクの候補であって、タスクの名称とタスクを実行する時刻として予め設定された標準時刻とを含む。候補タスク２２ａ〜２２ｆの名称は、洗面、朝食、着替え、昼食、夕食、お風呂であり、これらのタスクは、一般的に、毎日繰り返し実行される。また、候補タスク２２ａ〜２２ｆを実行する時間帯は、人に関係なく概ね決まっている。このため、候補タスク２２ａ〜２２ｆが実行されると一般的に想定される時刻が、標準時刻として設定される。
【００５３】
任意タスク（候補タスク２２ｇ〜２２ｋ）は、任意に実行されるタスクの候補であって、任意に実行されるタスクの名称を含む。任意タスクは、標準時刻を含まない。任意タスクとして、例えば、散歩（候補タスク２２ｉ）、掃除（候補タスク２２ｊ）などが設定されている。候補タスク２２ｉ，２２ｊが実行される時刻は、人の生活パターンに応じて異なり、これらのタスクが実行される標準的な時間帯を想定することが困難である。このように、実行すべき標準的な時刻を設定することが困難なタスクの候補は、任意タスクとしてタスクリスト２２に設定される。
【００５４】
候補タスク２２ａ〜２２ｋの各々は、サブタスクを含むことができる。図６では、候補タスク２２ａに含まれるサブタスク２２１〜２２４を示し、その他のタスクに含まれるサブタスクの表示を省略している。
【００５５】
（選択ウィンドウ）
図７及び図８を参照して、選択ウィンドウ４５は、タスク登録画面４０の上に表示される。上述のように、スケジュール管理装置１は、ステップＳ４３においてタスクリスト２２を取得し、取得したタスクリスト２２に含まれる標準タスク及び任意タスクを選択ウィンドウ４５に表示する。選択ウィンドウ４５は、標準タスクの名称及び基準時刻を表示し、任意タスクの名称を表示する。スケジュール管理装置１は、選択ウィンドウ４５により表示された名称の中から、実行すべきタスクの選択を受け付ける。
【００５６】
図７に示す選択ウィンドウ４５の最上段に、候補タスク２２ａが表示される。表示される項目は、候補タスク２２ａの名称「洗面」、標準時刻「午前６時３０分」、及びアイコンである。候補タスク２２ａのアイコンは、人物が顔を洗っている様子が描かれた絵であるため、ユーザが漢字を認識できない場合であっても、候補タスク２２ａの内容を理解できるようになっている。他の標準タスクも、図７に示す候補タスク２２ａと同様に表示される。
【００５７】
ユーザは、選択ウィンドウ４５をスクロールすることにより、図８に示すように、任意タスク（候補タスク２２ｈ〜２２ｊ）を表示させることができる。任意タスクは、タスクリスト２２において標準時刻が設定されていないため、任意タスクの名称のみが表示される。
【００５８】
（標準タスクの登録）
以下、標準タスクの登録について、ユーザが、選択ウィンドウ４５において、候補タスク２２ａの名称「洗面」を選択した場合を例に説明する。
【００５９】
図７を参照して、ユーザが、選択ウィンドウ４５に表示されたタスクの中から「洗面」を選択し、決定ボタン４６をタップする。スケジュール管理装置１は、決定ボタン４６のタップを受けて、「洗面」に対応する候補タスク２２ａの設定ウィンドウを表示する。
【００６０】
図９は、候補タスク２２ａの設定ウィンドウ５０を示す図である。図９を参照して、設定ウィンドウ５０の「行うこと」欄に、候補タスク２２ａの名称「洗面」が表示され、「時刻」欄に、候補タスク２２ａの標準時刻（午前６時３０分）が表示される。このように、設定ウィンドウ５０の時刻欄には、候補タスク２２ａの標準時刻が既に入力されているため、ユーザは、洗面を実行する時刻をわざわざ入力しなくてもよい。
【００６１】
標準時刻は、標準タスク（洗面）を実行すべき時刻として予め設定された時刻であり、洗面を行う一般的な時間帯の時刻が設定される。標準時刻が設定ウィンドウ５０内の時刻として予め設定されるため、ユーザは、設定ウィンドウ５０内の時刻を変更しなくても、一般的な生活パターンに沿ったスケジュールを作成することができる。従って、ユーザが、時間の概念を理解できない場合や、候補タスク２２ａと既に登録されたタスクとの時間的な前後関係を把握できない場合であっても、容易にタスクを登録することが可能となる。
【００６２】
もちろん、標準時刻がユーザの希望する時刻と異なる場合には、標準時刻を変更することも可能である。ユーザは、標準時刻を変更したい場合、設定ウィンドウ５０内の時刻をタップする。これにより、時刻編集用のウィンドウ（図示省略）が表示されるため、ユーザは、選択した候補タスク２２ａの標準時刻を所望の時刻に変更することができる。
【００６３】
また、ユーザは、確認ボタン５２をタップすることにより、候補タスク２２ａに含まれるサブタスクを確認することができる。図１０は、確認ボタン５２のタップにより表示される確認ウィンドウ５５を示す図である。
【００６４】
図６及び図１０を参照して、スケジュール管理装置１は、タスクリスト２２に基づいて、候補タスク２２ａに含まれる複数のサブタスク２２１〜２２４の名称を確認ウィンドウ５５に表示する。確認ウィンドウ５５において、サブタスク２２１〜２２４の時刻は表示されない。サブタスク２２１〜２２４の時刻を設定するようにした場合、タスク登録の操作が煩雑となる。また、後述する開始通知処理（ステップＳ５）において、サブタスクの時刻まで通知するようにした場合、タスクの実行時にスケジュール管理装置１を操作する回数が増加し、ユーザが混乱するおそれがある。サブタスク２２１〜２２４が時刻を含まないため、ユーザはタスクに含まれるサブタスクをスムーズに実行できる。
【００６５】
ユーザは、確認ウィンドウ５５を参照して、候補タスク２２ａを実行する際に実行すべきサブタスクの内容を確認する。必要であれば、ユーザは、サブタスクの内容を編集する。
【００６６】
例えば、ユーザが女性の場合、サブタスク２２１（ひげを剃りましょう）を実行しなくてもよい。この場合、ユーザは、サブタスク２２１を選択した上で削除ボタン５８ｃをタップすることにより、サブタスク２２１を確認ウィンドウ５５から削除する。
【００６７】
ユーザは、サブタスクを追加したい場合、追加ボタン５８ａをタップする。ユーザは、サブタスクの名称を編集したい場合、編集対象のサブタスクを選択した上で編集ボタン５８ｂをタップする。いずれの場合も、サブタスクの名称を編集するためのインタフェースがタッチパネル１３に表示されるため、ユーザは、表示されたインタフェースを用いて、サブタスクの新たな名称を入力する。
【００６８】
また、ユーザは、表示されたサブタスク２２１〜２２４の順序を変更してもよい。この場合、ユーザは、順序を変更する対象のサブタスクをタップして選択した上で、上ボタン５８ｄ又は下ボタン５８ｅをタップすればよい。
【００６９】
ユーザは、サブタスクの確認が終了した場合、閉じるボタン５８ｆをタップする。これにより、スケジュール管理装置１は、確認ウィンドウ５５を閉じ、設定ウィンドウ５０を再び表示する。確認ウィンドウ５５に最終的に表示されたサブタスクは、ＲＡＭ１２に一時的に記憶される。
【００７０】
再び、図９を参照して、ユーザは、音声設定ボタン５４ａ，５４ｂのいずれかをタップすることにより、タスクの開始を通知するために用いられる音声を設定する。設定された音声は、開始通知処理（ステップＳ５）を実行するときに用いられる。
【００７１】
ユーザは、スケジュール管理装置１に予め設定された標準の音声を使用する場合、音声設定ボタン５４ａをタップする。ユーザは、候補タスク２２ａの開始を通知する際にオリジナルの音声を使用する場合、音声設定ボタン５４ｂをタップする。スケジュール管理装置１は、音声設定ボタン５４ｂのタップを受けて、録音用のインタフェースを表示する。これにより、候補タスク２２ａの実行を促すためのオリジナルの音声をスケジュール管理装置１に録音することができる。録音音声を用いる理由は、ユーザが特定の声（例えば、子どもの声など）にしか反応しない場合が考えられるためである。
【００７２】
また、ユーザは、詳細設定ボタン５３をタップして、選択された候補タスク２２ａに対するその他の詳細設定を行う。例えば、詳細設定ボタン５３をタップすることにより、ユーザは、選択された候補タスク２２ａを毎日のタスクとして設定するための繰り返し設定を行うことができる。
【００７３】
選択された候補タスク２２ａについての設定が完了した場合、ユーザは、登録ボタン５１をタップする。これにより、選択された候補タスク２２ａが、設定ウィンドウ５０に表示された内容に基づいて、スケジュールデータ２３に登録される。
【００７４】
（スケジュールデータ２３）
図１１は、ユーザにより選択された候補タスク２２ａがタスク３２０として登録されたスケジュールデータ２３を示す図である。図１１を参照して、スケジュールデータ２３において、１行分のデータ（レコード）が１つのタスクに対応する。スケジュール管理装置１は、選択された候補タスク２２ａをタスク３２０としてスケジュールデータ２３に登録する場合、タスク３１９〜３２２の時刻が昇順となるようにタスク３２０を登録する。
【００７５】
なお、図１１に示すスケジュールデータ２３において、タスク３２０以外のタスクに含まれるサブタスクの表示を省略している。
【００７６】
スケジュールデータ２３には、タスクの名称と、時刻と、使用音声の種別と、サブタスクの名称とが記録される。
【００７７】
タスクの名称は、設定ウィンドウ５０（図９参照）の「行うこと」欄に設定された文字列である。タスクの時刻は、設定ウィンドウ５０の「時刻」欄に設定された時刻である。サブタスクの名称は、確認ウィンドウ５５に表示された文字列である。
【００７８】
使用音声の項目には、設定ウィンドウ５０でタップされたボタン（音声設定ボタン５４ａ，５４ｂのいずれか）に基づく情報が設定される。音声設定ボタン５４ａがタップされた場合、使用音声の欄には、「標準」と記録される。一方、音声設定ボタン５４ｂがタップされた場合、使用音声の欄には、録音された音声のファイル名がフルパスで記録される。
【００７９】
（任意タスクの登録）
以下、任意タスクの登録について説明するが、任意タスクの登録手順は、基本的に標準タスクの登録手順と同様である。
【００８０】
図６を参照して、タスクリスト２２には、任意タスク（候補タスク２２ｇ〜２２ｋ）の時刻が設定されていない。このため、図８に示すように、選択ウィンドウ４５においても、任意タスクの時刻は表示されない。
【００８１】
ユーザが、選択ウィンドウ４５に表示された任意タスクのうち、候補タスク２２ｈ（服薬）をタップして決定ボタン４６をタップした場合を例に説明する。この場合、候補タスク２２ｈの内容が表示された設定ウィンドウ５０が、タスクリスト２２に設定された内容に基づいてタッチパネル１３に表示される。
【００８２】
候補タスク２２ｈの開始時刻が設定されていないため、設定ウィンドウ５０の時刻欄は、デフォルトでは空白である。ユーザは、空白の時刻欄をタップして、服薬を実行する時刻を設定する。その他の設定については、標準タスクを登録する場合と同様である。
【００８３】
ユーザは、候補タスク２２ｈの内容が表示された設定ウィンドウ５０の登録ボタン５１をタップして、候補タスク２２ｈの登録を指示する。これにより、候補タスク２２ｈが、新たなタスクとしてスケジュールデータ２３に登録される。
【００８４】
［２．２．開始通知処理（ステップＳ５）］
図１２は、開始通知処理（ステップＳ５）のフローチャートである。図１１及び図１２を参照して、開始通知処理を実行するスケジュール管理装置１の動作について説明する。
【００８５】
以下、スケジュール管理装置１が、図１１に示すスケジュールデータ２３を用いて、開始通知処理（ステップＳ５）を実行する場合を例に説明する。
【００８６】
スケジュール管理装置１は、スケジュールデータ２３にタスクが登録されているか否かを判断する（ステップＳ５１）。タスクが登録されていない場合（ステップＳ５１においてＮｏ）、スケジュール管理装置１は、ステップＳ５の処理を終了する。
【００８７】
一方、タスクが登録されている場合（ステップＳ５１においてＹｅｓ）、スケジュール管理装置１は、タイマを起動し、所定時間（例えば、１分）が経過したか否かを判断する（ステップＳ５２）。所定時間を経過した場合（ステップＳ５２においてＹｅｓ）、スケジュール管理装置１は、システム時刻（現在時刻）を取得する（ステップＳ５３）。取得した時刻が、２０１４年２月１８日午前７時００分であるとする。
【００８８】
スケジュール管理装置１は、スケジュールデータ２３を参照して、取得した時刻に一致する時刻を有するタスクがないと判断する（ステップＳ５４においてＮｏ）。このため、スケジュール管理装置１は、ステップＳ５２に戻る。スケジュール管理装置１は、システム時刻に一致する時刻を有するタスクがあると判断するまで（ステップＳ５４においてＹｅｓ）、ステップＳ５２〜Ｓ５４を繰り返す。
【００８９】
ステップＳ５２で取得した時刻が２０１４年２月１８日午前７時３０分である場合、タスク３２０の時刻が取得した時刻に一致する（ステップＳ５４においてＹｅｓ）。この場合、スケジュール管理装置１は、タスク３２０の実行を促す開始通知ウィンドウをタッチパネル１３に表示する（ステップＳ５５）。
【００９０】
図１３は、タッチパネル１３に表示される開始通知ウィンドウ６５を示す図である。図１３を参照して、スケジュール管理装置１は、タスク３２０の名称と時刻を含む開始通知ウィンドウ６５を表示することにより、タスク３２０の実行をユーザに促す。
【００９１】
また、スケジュール管理装置１は、開始通知ウィンドウ６５の表示とともに、タスク３２０の実行を促す音声を再生する（ステップＳ５６）。タスク３２０では、標準音声が設定されている（図１１参照）。このため、スケジュール管理装置１は、「洗面」に対応する標準音声を再生する。タスク３２０の音声として録音音声が設定されている場合は、タスク３２０のためにユーザにより録音された音声が再生される。
【００９２】
スケジュール管理装置１は、開始通知ウィンドウ６５を表示したまま、タスク３２０の開始通知に対する応答の受け付けを開始する（ステップＳ５７）。スケジュール管理装置１は、開始通知ウィンドウ６５内に配置された確認ボタン６５ａがタップされたか否かを監視する。確認ボタン６５ａがタップされた場合、スケジュール管理装置１は、応答入力ウィンドウをタッチパネル１３に表示してタスク３２０の実行結果の入力を受け付ける。
【００９３】
図１４は、タッチパネル１３に表示される応答入力ウィンドウ７０を示す図である。図１４を参照して、スケジュール管理装置１は、タスク３２０の名称と、サブタスク２２１〜２２４の名称とをスケジュールデータ２３から取得して、応答入力ウィンドウ７０を生成する。
【００９４】
結果入力欄７１が、応答入力ウィンドウ７０の下方に配置される。結果入力欄７１は、タスク３２０の名称「洗面」に対応して設けられる。このため、結果入力欄７１の左方には、タスク３２０の名称「洗面」が表示される。結果入力欄７１は、タスク３２０を実行したか否かの総合的な評価を入力するために用いられる。
【００９５】
結果入力欄７２１〜７２４が、結果入力欄７１の上方に配置される。結果入力欄７２１〜７２４は、タスク３２０に含まれるサブタスク２２１〜２２４に対応する。結果入力欄７２１〜７２４の左方には、サブタスク２２１〜２２４の名称が配置される。結果入力欄７２１〜７２４は、サブタスク２２１〜２２４の実行結果を入力するために用いられる。
【００９６】
スケジュール管理装置１は、応答入力ウィンドウ７０を用いて、サブタスク２２１〜２２４及びタスク３２０の実行結果の入力を受け付ける。ユーザは、サブタスク２２１〜２２４の各々を実行できたか否かを結果入力欄７２１〜７２４に入力する。例えば、結果入力欄７２１がタップされた場合、スケジュール管理装置１は、サブタスク３２０の実行結果を入力するためのウィンドウ（図示省略）を表示すればよい。ユーザは、サブタスクを実行できた場合、このウィンドウに配置されたＯＫボタンをタップし、実行できなかった場合にＮＧボタンをタップする。
【００９７】
また、ユーザは、タスク３２０全体の評価結果を、結果入力欄７１に入力する。タスク３２０全体の評価結果の入力方法は、サブタスク２２１〜２２４の実行結果の入力方法と同じである。ユーザは、タスク３２０全体の評価結果を、結果入力欄７２１〜７２４に入力されたサブタスクの実行結果と連動させなくてもよい。
【００９８】
応答入力ウィンドウ７０の閉じるボタン７３がタップされた場合、スケジュール管理装置１は、入力されたタスク３２０の実行結果を、フラッシュメモリ１５に記録する。
【００９９】
スケジュール管理装置１は、ステップＳ５７において、応答入力の受付を開始した後に、最後のタスクの通知を終了したか否かを判断する（ステップＳ５８）。ここで、最後のタスクとは、スケジュールデータ２３に登録されたタスクの中で、一番遅い時刻を有するタスクのことである。スケジュールデータ２３（図１１参照）において、タスク３２１がタスク３２０の下に登録されているため、タスク３２０は、最後のタスクではない（ステップＳ５８においてＮｏ）。スケジュール管理装置１は、タスク３２１の開始を通知するために、ステップＳ５２に戻る。
【０１００】
スケジュール管理装置１は、開始通知ウィンドウ６５及び応答入力ウィンドウ７０を用いたタスク３２０の応答の受け付けと並行して、ステップＳ５２〜Ｓ５４の処理を実行する。そして、開始通知ウィンドウ６５又は応答入力ウィンドウ７０が表示された状態で、現在時刻がタスク３２１の時刻となった場合（ステップＳ５４においてＹｅｓ）、タスク３２０に関する開始通知ウィンドウ６５又は応答入力ウィンドウの表示を中止し、タスク３２１の実行を促す開始通知ウィンドウ６５を新たに表示する（ステップＳ５５）。
【０１０１】
一方、ステップＳ５８において、スケジュール管理装置１は、タスク３２０が最後のタスクであると判断した場合（ステップＳ５８においてＹｅｓ）、タスク３２０の応答入力ウィンドウ７０に対する実行結果の入力が終了した後に、図１２に示す処理を終了する。
【０１０２】
［２．３．確認画面］
図３を参照して、スケジュール管理装置１は、スケジュール画面３０内に配置された切替ボタン３４ｂをタップすることにより、確認画面を表示することができる。
【０１０３】
図１５は、タッチパネル１３に表示される確認画面８０を示す図である。確認画面８０は、スケジュールデータ２３に登録されたタスクのうち、開始時刻を既に経過したタスクの実行結果を確認するために用いられる。
【０１０４】
図１５を参照して、確認画面８０は、時刻領域３１と、メニューボタン３３と、切替ボタン３４ａ，３４ｂと、日付領域８１と、タスク領域８２とを含む。日付領域８１は、確認対象の日付を表示する。タスク領域８２は、スケジュールデータ２３に登録されたタスクのうち、日付領域８１に表示された日付が設定されたタスクを表示する。図１５において、タスク領域８２は、タスク３２０及び３２１を表示している。ユーザは、タスク３２０及び３２１と同じ日付が設定されたタスク３２２をタスク領域８２に表示させる場合、タスク領域８２をスクロールすればよい。
【０１０５】
タスク領域８２において、タスク３２０の結果入力欄８２ａ〜８２ｄが配置されている。結果入力欄８２ａ，８２ｂは、タスク３２０の名称に対応して設けられる。結果入力欄８２ａに表示される情報は、応答入力ウィドウ７０（図１４参照）に入力された、ユーザ本人によるタスク３２０全体の評価結果である。結果入力欄８２ｂは、ユーザの介助者（家族、介護士など）がタスク３２０全体の実行結果を入力するために用いられる。
【０１０６】
結果入力欄８２ｃは、サブタスク２２１〜２２４に対応して複数設けられる。結果入力欄８２ｃの各々に入力される情報は、応答入力ウィドウ７０（図１４参照）に入力された、ユーザ本人によるサブタスク２２１〜２２４の各々の評価結果である。結果入力欄８２ｄは、サブタスク２２１〜２２４に対応して複数設けられる。結果入力欄８２ｄは、ユーザの介助者がサブタスク２２１〜２２４の実行結果を入力するために用いられる。
【０１０７】
結果入力欄８２ａ〜８２ｄに対するサブタスクの実行結果の入力方法は、応答入力ウィンドウ７０（図１４参照）における実行結果の入力方法と同じである。
【０１０８】
このように、ユーザの介助者は、確認画面８０（図１５参照）を用いて、タスク３２０の実行結果を入力することができる。上述のように、ユーザが認知障害を有しているため、ユーザが、自身の行動を把握できない場合が想定される。従って、ユーザが、タスクあるいはサブタスクを実行できたと判断しても、実際にはタスクあるいはサブタスクが実行されていない可能性がある。このため、介助者が、ユーザのタスクの実行結果を客観的に評価し、その評価結果を確認画面８０に入力することにより、日付領域８１に表示された日付におけるユーザの行動を正確に記録することができる。
【０１０９】
以上説明したように、タスクリスト２２には、標準タスク及び任意タスクが設定されており、標準タスクは、タスクの名称と標準時刻とを含む。従って、ユーザは、タスクリスト２２に基づいて表示される選択ウィンドウ４５の中から標準タスクを選択した場合、選択された標準タスクを実行する時刻を入力しなくてもよい。従って、時間の経過や、時間の概念を把握できないユーザであっても、自身が実行すべきタスクを容易に登録することができる。
【０１１０】
＜第２の実施の形態＞
以下、本発明の第２の実施の形態に係るスケジュール管理装置１について説明する。本実施の形態に係るスケジュール管理装置１は、上記実施の形態に係るスケジュール管理装置１の構成（図１参照）と同じである。
【０１１１】
本実施の形態に係るスケジュール管理装置１は、以下の２点において、上記第１の実施の形態に係るスケジュール管理装置１と異なる動作を実行する。
【０１１２】
第１の点は、開始通知処理（ステップＳ５、図１２参照）におけるスケジュール管理装置１の動作に関する。本実施の形態に係るスケジュール管理装置１は、開始通知ウィンドウ６５又は応答入力ウィンドウ７０の表示中に、現在時刻が次のタスクの開始時刻となった場合に、次のタスクの開始を通知せずに、表示中のウィンドウの表示を継続する処理（継続処理）を実行することができる。
【０１１３】
第２の点は、継続処理を実行するか否かを指示する継続情報の設定が行われる点である。継続情報の設定は、タスク登録処理（ステップＳ４、図４参照）で行われる。
【０１１４】
継続処理が実行される理由について説明する。ユーザにより登録されたタスクの中には、タスクの実行を忘れた場合にユーザに影響を与える重要なタスクがある。例えば、名称「服薬」を有する候補タスク２２ｈがタスクとして登録された場合において、ユーザが服薬のタスクの実行を忘れた場合、ユーザの症状が悪化するおそれがある。
【０１１５】
しかし、上記実施の形態に係るスケジュール管理装置１は、重要なタスクの実行を促す開始通知ウィンドウ６５の表示中に、現在時刻が次のタスクの開始時刻となった場合、次のタスクの実行を促す確認画面８０を表示する。この場合、ユーザが、重要なタスクを実行することなく、次のタスクを実行する可能性が高い。
【０１１６】
本実施の形態に係るスケジュール管理装置１は、継続処理を実行することにより、重要なタスクが実行されないようなケースが発生することを防ぐことができる。
【０１１７】
以下、上記第１の点及び第２の点について、詳しく説明し、上記第１の実施の形態と共通する内容についての説明は省略する。また、特に説明のない限り、本実施の形態に係るスケジュール管理装置１を単に「スケジュール管理装置１」と記載する。
【０１１８】
｛１．継続情報の設定｝
図１６は、本実施の形態に係る設定ウィンドウ７５を示す図である。スケジュール管理装置１は、選択ウィンドウ４５（図７参照）に表示されたタスクの中から１つが選択された場合、図９に示す設定ウィンドウ５０に代えて、図１６に示す設定ウィンドウ７５を表示する。
【０１１９】
図４及び図８を参照して、スケジュール管理装置１は、選択ウィンドウ４５をタッチパネル１３に表示し、実行すべきタスクの選択を受け付ける（ステップＳ４４）。ユーザが、選択ウィンドウ４５に表示された候補タスク２２ｈ〜２２ｊの中から、名称「服薬」を有する候補タスク２２ｈを選択し、決定ボタン４６をタップする。スケジュール管理装置１は、ユーザによるこの操作を受けて、図１６に示す設定ウィンドウ７５を表示する。
【０１２０】
図１６を参照して、候補タスク２２ｈが任意タスクであるため、ユーザは、選択した候補タスク２２ｈを実行すべき時刻として、「午後３時５０分」を入力する。
【０１２１】
また、設定ウィンドウ７５は、チェックボックス８６を有する。チェックボックス８６は、継続処理を実行するか否かを指示するためのインタフェースである。デフォルトの設定では、継続処理が実行されないように、チェックボックス８６にチェックが入っていない。継続処理の実行を指示する場合、ユーザは、チェックボックス８６をタップして、チェックを入れる。ユーザは、設定ウィンドウ７５内の登録ボタン５１をタップする。スケジュール管理装置１は、登録ボタン５１のタップを受けて、候補タスク２２ｈを新たなタスクとしてスケジュールデータ２３に登録する。
【０１２２】
図１７は、候補タスク２２ｈが新たなタスクとして登録されたスケジュールデータ２３を示す図である。図１７を参照して、設定ウィンドウ７５で設定された候補タスク２２ｈが、タスク３３０としてスケジュールデータ２３に登録されている。タスク３３０は、ユーザにより設定されたタスク３３０の時刻「午後３時５０分」に基づいて、タスク３２０とタスク３２１との間に挿入される。
【０１２３】
また、図１７に示すスケジュールデータ２３は、各タスクに対応する継続情報を有する。図１７を参照して、各タスクの継続情報は、「表示継続」の欄に記録される。タスク３１９，３２０〜３２２に対応する継続情報は、「継続しない」に設定されている。一方、図１６に示す設定ウィンドウにおいて、チェックボックス８６にチェックが入っているため、タスク３３０に対応する継続情報は、「継続する」に設定されている。
【０１２４】
｛２．開始通知処理（ステップＳ５）｝
図１８は、本実施の形態に係るスケジュール管理装置１により実行される開始通知処理（ステップＳ５）のフローチャートである。図１８に示す処理のうち図１２に示す処理と共通する処理については、図１２と同じステップ番号を付している。
【０１２５】
図１７及び図１８を参照して、タスク３２０までの開始通知が終了している。スケジュール管理装置１は、システム時刻（現在時刻）を取得し（ステップＳ５３）、システム時刻に一致するタスクがあるか否かを判断する（ステップＳ５４）。システム時刻が２０１４年２月１８日午後３時５０分である場合、システム時刻は、タスク３３０の時刻に一致する（ステップＳ５４においてＹｅｓ）。この場合、スケジュール管理装置１は、タスク３３０の名称「服薬」と時刻「午後３時５０分」とを含む開始通知ウィンドウ（図示省略）をタッチパネル１３に表示し（ステップＳ５５）、タスク３３０の実行を促す音声を再生する（ステップＳ５６）。
【０１２６】
次に、スケジュール管理装置１は、タスク３３０の継続情報を参照して、継続処理の実行を指示されているか否かを判断する（ステップＳ７１）。継続処理の実行を指示されていない場合（ステップＳ７１においてＮｏ）、スケジュール管理装置１は、応答入力の受付を開始する（ステップＳ５７）。ステップＳ５７が実行される場合におけるスケジュール管理装置１の動作については、上記第１の実施の形態と同様であるため、その説明を省略する。
【０１２７】
タスク３３０に関して、継続処理の実行が指示されている場合（ステップＳ７１においてＹｅｓ）、スケジュール管理装置１は、ステップＳ５７と同様に、応答入力の受付を開始する（ステップＳ７２）。スケジュール管理装置１は、タスク３３０に対応する開始通知ウィンドウ６５又は応答入力ウィンドウ７０を表示して、タスク３３０の実行結果の入力を待機する。
【０１２８】
スケジュール管理装置１は、タスク３３０の応答入力が終了したか否かを判断する（ステップＳ７３）。すなわち、スケジュール管理装置１は、タスク３３０の応答入力ウィンドウ７０（図１４参照）に配置された閉じるボタン７３がタップされたか否かを監視する。スケジュール管理装置１は、閉じるボタン７３がタップされない場合、タスク３３０の開始通知ウィンドウ６５又は応答入力ウィンドウ７０を表示した状態を継続する。この場合、スケジュール管理装置１は、タスク３３０の開始通知ウィンドウ６５又は応答入力ウィンドウ７０の表示と並行して、ステップＳ５２〜Ｓ５４の処理を実行しない。
【０１２９】
タスク３３０については継続処理の実行が指示されているため、スケジュール管理装置１は、服薬のタスク３３０の実行が終了したと判断するまで、他のタスクの実行開始を通知しない。すなわち、タスク３３０の実行結果の入力が完了するまで、タスク３３０以外のタスクに関するウィンドウが表示されない。従って、ユーザは、タスク３３０を設定された時刻に実行できなかった場合であっても、タスク３３０を他のタスクに優先して実行することが可能となる。
【０１３０】
スケジュール管理装置１は、閉じるボタン７３がタップされた場合、タスク３３０についての応答入力が完了したと判断し（ステップＳ７３においてＹｅｓ）、ステップＳ５８に進む。これにより、スケジュール管理装置１は、タスク３３０の時刻よりも後の時刻に実行すべきタスクの開始を通知するために、ステップＳ５２に戻る。
【０１３１】
以上説明したように、本実施の形態に係るスケジュール管理装置１は、スケジュールデータ２３に登録されるタスクについて継続処理を実行するか否かを指示する継続情報の設定を受け付ける。スケジュール管理装置１は、継続処理の実行が指示されているタスクの開始を通知する場合、このタスクに対する応答の入力の受け付けが終了するまで、このタスクに関するウィンドウの表示を継続する。ユーザにとって重要なタスクについては継続処理の実行を指示することにより、重要なタスクが実行されないことを防ぐことができる。
【０１３２】
上記実施の形態において、ユーザが、認知障害を有する障害者である場合を説明したが、これに限られない。ユーザは、認知障害を有しない健常者であってもよい。ユーザが健常者であっても、ユーザは、標準タスクを選択した場合に時刻を改めて設定しなくてもよいので、タスクを登録する際の作業を簡略化することができる。あるいは、介助者が、ユーザに代わって、スケジュール管理装置１を操作してもよい。
【０１３３】
上記実施の形態において、スケジュール管理装置１が、フラッシュメモリ１５からタスクリスト２２を取得する例を説明したが、これに限られない。スケジュール管理装置１は、ネットワークインタフェース１４を介してネットワークに接続されたサーバ（図示省略）にアクセスし、タスクリスト２２をサーバから取得してもよい。
【０１３４】
上記実施の形態において、スケジュール管理装置１が開始通知ウィンドウ６５の確認ボタン６５ａがタップされた後に応答入力ウィンドウ７０を表示する例を説明したが、これに限られない。スケジュール管理装置１は、応答入力ウィンドウ７０を表示しなくてもよい。この場合、第２の実施の形態において、スケジュール管理装置１は、確認ボタン６５ａのタップにより、開始を通知したタスクに対する応答入力が終了したと判断すればよい。
【０１３５】
上記実施の形態において、スケジュール管理プログラム２１がタブレット端末にインストールされている例を説明した。スケジュール管理プログラム２１をインストールする方法は、特に限定されない。例えば、スケジュール管理プログラム２１は、ネットワークに接続されたサーバからダウンロードされ、タブレット端末にインストールされてもよい。あるいは、スケジュール管理プログラム２１を記録したコンピュータ読み取り可能な媒体（例えば、光ディスク、ＵＳＢ（Universal Serial Bus）メモリ、フレキシブルディスクなど）が配布されている場合、スケジュール管理プログラム２１は、その媒体からタブレット端末等にインストールされてもよい。
【０１３６】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【０１３７】
１  スケジュール管理装置
１１  ＣＰＵ
１２  ＲＡＭ
１３  タッチパネル
１４  ネットワークインタフェース
１５  フラッシュメモリ
２１  スケジュール管理プログラム
２２  タスクリスト
２３  スケジュールデータ
【図１】
2015170110.tif 000003
【図２】
2015170110.tif 000004
【図３】
2015170110.tif 000005
【図４】
2015170110.tif 000006
【図５】
2015170110.tif 000007
【図６】
2015170110.tif 000008
【図７】
2015170110.tif 000009
【図８】
2015170110.tif 000010
【図９】
2015170110.tif 000011
【図１０】
2015170110.tif 000012
【図１１】
2015170110.tif 000013
【図１２】
2015170110.tif 000014
【図１３】
2015170110.tif 000015
【図１４】
2015170110.tif 000016
【図１５】
2015170110.tif 000017
【図１６】
2015170110.tif 000018
【図１７】
2015170110.tif 000019
【図１８】
2015170110.tif 000020